(57)【特許請求の範囲】
【請求項１】
遊戯者が飛び降るための飛び降り部と、
該飛び降り部の下方に設け、落下する遊戯者を受け止める受部と、
一端が該受部に係合し、他端が前記飛び降り部に係合し、該受部を支持する支持手段とから構成され、
前記受部は、シート状物，網状体又は気体を充填した袋体からなり、
前記支持手段は、前記飛び降り部に設けた支持アームと、該支持アームから垂下する索条からなる落下遊戯装置。
【請求項２】
前記支持アームがバネ体を備え、該支持アームが前記受部を持ち上げる方向に付勢されてなる請求項１記載の落下遊戯装置。
【請求項３】
落下する遊戯者を受け止める受部と、
該受部を支持する支持手段と、
前記受部の上方に設け、支持解除機構を備えた遊戯者支持手段とからなり、
且つ前記受部がシート状物，網状体又は気体を充填した袋体からなる落下遊戯装置。
【請求項４】
前記支持手段が、支持アームと、該支持アームから垂下する索条とからなる請求項３記載の落下遊戯装置。
【請求項５】
前記支持アームがバネ体を備え、該支持アームが前記受部を持ち上げる方向に付勢されてなる請求項４記載の落下遊戯装置。
【請求項６】
前記受部が周縁に周壁を備えてなる請求項１乃至５記載のいずれかの落下遊戯装置。
【請求項７】
前記受部が周縁に骨材を備えてなる請求項１乃至６記載のいずれかの落下遊戯装置。
【請求項８】
前記受部を上下方向多層に複数個設けた請求項１乃至７記載のいずれかの落下遊戯装置。
【発明の詳細な説明】
【０００１】
【産業上の利用分野】
本発明は、所定の高さから飛び降りた遊戯者を安全に受け止めることのできる遊戯装置に関する。
【０００２】
【従来の技術】
落下物、又は高所から飛び降りた人を、その衝撃を緩和して受け止める装置として、従来エアーマットが良く知られいる。このエアーマットは、マットの内部が複数の部屋に区切られ、各部屋に空気を充填した構造を有するとともに、隣接する各部屋が連通しており、空気の移動が自由になっている。そして、落下した物又は人（以下、「落下物等」という）を受けると、直接衝撃荷重を受ける前記エアーマットの部屋は圧縮されてその内圧が高まり、当該部屋の空気は隣接する部屋に移動する。この空気の移動によって移動先の部屋の内圧が上がり、更に隣接する部屋に空気が移動すると言ったように連鎖的に空気の移動が起こり、エアーマットの各部屋の内圧が平衡状態になったところで空気の流れは止まる。このように、エアーマットは圧力に対する容積変化の大きい気体で、落下物等を受けることでその衝撃を緩和するものである。
【０００３】
【発明が解決しようとする課題】
ところが、このエアーマットは圧力に応じた空気の圧縮を利用して衝撃を緩和するものであるので、運動エネルギの低い落下物等には効果があるものの、運動エネルギの高い落下物等については、かなりの衝撃を伴うという問題があった。従って、これを遊戯装置として用いても、遊戯者の耐え得る衝撃の限界を考慮すると、安全に受け止めることができる落下高さはせいぜい２〜３ｍ位に限られていた。また、更に高所からの落下を可能にするには、適宜訓練を要するため、一般人の遊戯には向かないものであった。
【０００４】
本発明は、以上の実情に鑑みなされたものであって、かなりの高所から落下する遊戯者を安全に受け止めることができる遊戯装置の提供を目的とする。
【０００５】
【課題を解決するための手段】
上記目的を達成するために、請求項１に係る発明は、遊戯者が飛び降るための飛び降り部と、該飛び降り部の下方に設け、落下する遊戯者を受け止める受部と、一端が該受部に係合し、他端が前記飛び降り部に係合し、該受部を支持する支持手段とから構成され、前記受部は、シート状物，網状体又は気体を充填した袋体からなり、前記支持手段は、前記飛び降り部に設けた支持アームと、該支持アームから垂下する索条からなることをその要旨とする。
【０００６】
請求項２に係る発明は、請求項１の発明における前記支持アームがバネ体を備え、該支持アームが前記受部を持ち上げる方向に付勢されてなることをその要旨とする。
【０００７】
また、請求項３に係る発明は、落下する遊戯者を受け止める受部と、該受部を支持する支持手段と、前記受部の上方に設け、支持解除機構を備えた遊戯者支持手段とからなり、且つ前記受部がシート状物，網状体又は気体を充填した袋体からなることを要旨とする。
【０００８】
請求項４に係る発明は、請求項３の発明における前記支持手段が、支持アームと、該支持アームから垂下する索条とからなることを要旨とする。
【０００９】
請求項５に係る発明は、請求項４の発明における前記支持アームがバネ体を備え、該支持アームが前記受部を持ち上げる方向に付勢されてなることを要旨とする。
【００１０】
また、請求項６に係る発明は、請求項１乃至５の発明における前記受部が周縁に周壁を備えてなることを要旨とする。
【００１１】
更に、請求項７に係る発明は、請求項１乃至６の発明における前記受部が周縁に骨材を備えていることを要旨とし、請求項８に係る発明は、請求項１乃至７の発明における前記受部を上下方向多層に複数個設けたことを要旨とする。
【００１２】
尚、前記シート状物には例えば、ナイロン，ビニール製のシート材、これが天然繊維，合成繊維，ガラス繊維，金属繊維等で補強されたもの、又は天然繊維，合成繊維等からなる布等を適用でき、前記網状体には例えば、ゴム製の若しくは天然繊維，合成繊維，ガラス繊維，金属繊維等の繊維で編まれたロープ又はベルトで形成された網状体を適用することができ、いずれも遊戯者が怪我をしない程度の柔軟性を有するものが好ましい。
【００１３】
また、前記索条には、ゴム製の若しくは天然繊維，合成繊維，ガラス繊維，金属繊維等の繊維で編まれたロープ状のものの他、コイルバネのロープ状のもの（全部若しくは一部に含むものの双方を含む）等を適用できる。
【００１４】
【作用及び効果】
請求項１の発明によれば、まず、遊戯者が飛び降り部から下方に落下し、受部に受け止められる。この際、受部をシート状物又は網状体により構成すれば、遊戯者の落下に伴う運動エネルギは当該シート状物又は網状体が変形することによって吸収され、当該遊戯者が受部に受け止められた際の衝撃は僅かなものとなる。
【００１５】
或いは、前記受部を、気体を充填した袋体から構成すれば、上記と同様に当該受部が変形して遊戯者の運動エネルギを吸収するとともに、袋体内の気体が圧縮することにより当該運動エネルギを吸収するので、遊戯者の受ける衝撃は更に減少される。
【００１６】
また、支持手段を支持アームと索条とから構成すれば、飛び降り部よりも受部の面積を大きく設定することができ、遊戯者が受部の外に落下するのを防止することができる。また、請求項２の発明によれば、前記支持アームが前記受部を持ち上げる方向に付勢するバネ体を備えており、遊戯者が受部に受け止められる際に、前記支持アームが下方に移動し、これに伴ってバネ体が変形して遊戯者の運動エネルギを吸収するのでの遊戯者の受ける衝撃は更に減少される。
【００１７】
請求項３の発明によれば、まず、遊戯者支持手段により遊戯者を支持する。ついで、支持解除機構を作動させて遊戯者を下方に落下せしめる。以後請求項１の発明と同様に遊戯者を安全に受け止めることができる。また、請求項４の発明によれば、支持手段を支持アームと索条とから構成したので、受部の面積を大きく設定することができ、遊戯者が受部の外に落下するのを防止することができる。更に、請求項５の発明によれば、前述の請求項２の発明におけると同様に、前記支持アームが前記受部を持ち上げる方向に付勢するバネ体を備えており、遊戯者が受部に受け止められる際に、前記支持アームが下方に移動し、これに伴ってバネ体が変形して遊戯者の運動エネルギを吸収すのでの遊戯者の受ける衝撃は更に減少される。
【００１８】
また、請求項６の発明によれば、受部の周縁に周壁を設けているので、遊戯者が受部から外に落ちることがなく安全であり、請求項７の発明によれば、受部の周縁に骨材を設けているので、受部の形状を一定に維持することができ、遊戯者の確実な受取りが可能である。また、請求項８の発明によれば、受部を上下に複数個設けているので、仮に、何らかの原因で上段の受部が遊戯者を受け取ることができない場合でも下方の受部によりこれを受け取ることができるので遊戯者の安全を確保することができる。
【００１９】
以上のように本発明によれば、かなりの高所から落下する遊戯者を安全且つ確実に受け止めることができ、しかも当該装置自体を高所に設けることができるので、遊戯者は更に高まったスリル感を味わうことができる。
【００２０】
【実施例】
以下、本発明の実施例について添付図面に基づき説明する。
【００２１】
（実施例１）
本発明の実施例１に係る装置を説明するに当たり、これに先立って、まず、図１に基づいて、本発明の一部構成に対応した参考例に係る装置について説明する。図１に示すように、参考例の装置は飛び降り部（１）と、この飛び降り部（１）の下方に設けた受部（９）と、この受部（９）を支持する支持手段（２）と、前記飛び降り部（１）を上方に引き上げる巻き上げ装置（図示せず）とからなる。以下、各部の詳細について説明する。
【００２２】
Ａ．飛び降り部
前記飛び降り部（１）は、方形形状をし、その略中央部に飛び降り用の通孔（５）を備えた底部（３）と、この底部（３）の外周周縁に立設した外壁部（４）及び前記通孔（５）の周縁部に立設した内壁部（６）と、前記外壁部（４）の四隅の設けた吊環（７ａ）と、この吊環（７ａ）に掛けた引上用ロープ（８）と、この引上用ロープ（８）の他端に設けた吊環（７ｂ）とからなる。そして、前記内壁部（６）には飛び降り用の間口（６ａ）を設けている。
【００２３】
尚、言うまでもなく、前記底部（３）の形状は方形に限られず、この他、多角形，円形，楕円形等あらゆる形状を適用できる。更に、前記吊環（７ａ）を設ける位置も、底部（３）等を前記引上用ロープ（８）により支持した際、当該底部（３）等をバランス良く、安定して支持し得る位置であれば何処でも良い。
【００２４】
また、前記底部（３），外壁部（４）及び内壁部（６）は、不透明の板状の部材（鉄板，木板等），エキスパンドメタル等の穴開き部材，透明若しくは半透明の強化ガラス若しくはプラスチック等を用いて構成することができ、鉄筋を用いて格子状に構成しても良い。更には、これらを骨組み構造で構成し、ネット等の網状体を張り渡した構成としても良い。
【００２５】
Ｂ．受部
前記受部（９）は前記飛び降り部（１）の底部（３）と同形状の底部（１０ａ）と、その周縁に設けた周壁（１０ｂ）及び骨材（１１）とからなる。受部（９）は上述の如く、各種の素材を用いて構成することができるが、本例では所謂ネットを用いた。また、骨材（１１）は底部（１０ａ）の形状を維持するためのもので、プラスチック製，鋼製，木製若しくは竹製等の棒状部材，パイプ部材若しくはワイヤ等を適用できる。尚、この骨材（１１）をウレタンで被覆し、遊戯者がこれに接触して怪我をするのを防止している。また、前記飛び降り部（１）の底部（３）と同様に、底部（１０ａ）の形状は他の多角形，円形，楕円形等の形状であっても良い。
【００２６】
Ｃ．支持手段
前記支持手段（２）は一端を前記飛び降り部（１）の底部（３）の角部に固着し、他端を前記受部（９）の底部（１０ａ）の角部に固着したものであり、本例ではゴムロープを適用した。尚、この支持手段（２）にはこの他ワイヤロープ，ナイロンロープ，パイプ部材若しくは棒状部材，コイルバネのロープ状のもの（全部若しくは一部に含むものの双方を含む）等で、必要な引張強度を有するものを適用できる。
【００２７】
以上の構成を備える実施例装置によれば、まず、遊戯者が飛び降り部（１）の前記底部（３）上に乗り込んだ状態で、前記巻上装置（図示せず）のワイヤロープを吊環（７ｂ）に掛けて当該巻上装置（図示せず）により、引上用ロープ（８）を介して飛び降り部（１）を上方の所定位置に引き上げる。
【００２８】
ついで、遊戯者が前記飛び降り部（１）の通孔（５）から、下方の受部（９）に向けて落下する。この際、外壁部（４）及び内壁部（６）を設けているので、遊戯者が不用意に底部（３）から落下することがない。尚、前記底部（３），外壁部（４）及び内壁部（６）を、エキスパンドメタル等の穴開き部材，透明若しくは半透明の強化ガラス若しくはプラスチック等を用いて構成した場合、鉄筋を用いて格子状に構成した場合、ネット等の網状体を張り渡した構成した場合には遊戯者が下方を視覚することができるので、当該遊戯者はスリル感の増した遊戯を楽しむことができる。
【００２９】
この後、遊戯者は受部（９）上に落下しこれに受け止められるが、その際受部（９）が変形して遊戯者の落下に伴う運動エネルギを吸収する。従って遊戯者の受ける衝撃は僅かなものとなり、遊戯者は安全に受部（９）に受け止められる。また、本例では支持手段（２）にゴムロープを使用しているので、受部（９）が遊戯者を受け止めた際、当該支持手段（２）が伸長し、これによっても遊戯者の落下に伴う運動エネルギが吸収され、更に遊戯者の受ける衝撃が緩和される。
【００３０】
このように、この装置によれば、前記受部（９）が遊戯者を受け止める際の衝撃は極めて僅かであって安全であり、また、装置を高所に設けることもできるので、遊戯者は更にスリリングな感触を味わうことができる。
【００３１】
尚、本例では前記飛び降り部（１）の底部（３）と受部（９）の底部（１０ａ）とを同じ大きさとしたが、図２に示すように、底部（１０ａ）を底部（３）よりも大きい面積としても良い。底部（１０ａ）の周縁には骨材（１１）を設けているのでこのように構成しても底部（１０ａ）の形状は所定形状を維持したものとすることができる。このように底部（１０ａ）の面積を大きく構成することで遊戯者が底部（１０ａ）よりも外に落下するのを防止することができる。
【００３２】
また、飛び降り部（１）を図３に示す構成としても良い。同図に示すように、この装置は前記通孔（５）を広く設定するとともに、ゴンドラ（２４）及びこのゴンドラ（２４）を受部（９）と飛び降り部（１）との間で上昇又は降下せしめる巻き上げ装置（２３）を設けたものである。通孔（５）を広く設けたので遊戯者が怪我をすることがなく、また、ゴンドラ（２４）及び巻き上げ装置（２３）により、飛び降り部（１）から飛び降りた遊戯者を容易に再び飛び降り部（１）に運搬することができ、遊戯者は繰り返し遊戯を楽しむことができる。
【００３３】
次に、本発明の実施例１の装置を図４に基づいて説明する。同図に示すように、この装置は、上述した参考例の装置の支持手段（２）を支持アーム（１２）と吊下ロープ（１３）で構成したものであり、その他の構成は参考例の装置と同じである。
【００３４】
同図に示すように、前記支持アーム（１２）は、一端を前記飛び降り部（１）の外壁部（４）に軸着し、矢示Ａ−Ｂ方向に揺動自在に設けたものであり、他端に前記吊下ロープ（１３）を接続している。また、前記軸着部（１４）にはバネ体（図示せず）を設けており、これにより前記支持アーム（１２）を矢示Ａ方向に付勢している。尚、この支持アーム（１２）には、金属製若しくはプラスチック製等の棒状部材若しくはパイプ部材等を適用でき、目的を達成し得る強度を有し且つ軽量のものであることが好ましい。
【００３５】
前記吊下ロープ（１３）には、ゴムロープ，ワイヤロープ，ナイロンロープ，コイルバネのロープ状のもの（全部若しくは一部に含むものの双方を含む）等を適用できる。
【００３６】
この装置によれば、受部（９）の底部（１０ａ）の面積を十分広く設定でき、遊戯者が底部（１０ａ）よりも外に落下するのを防止することができる。また、受部（９）に遊戯者が受け止められた際、図５に示すように、受部（９）が変形して落下する遊戯者の運動エネルギを吸収するとともに、支持アーム（１２）がバネ体（図示せず）の付勢力に抗して矢示Ｂ方向に揺動し、バネ体（図示せず）の弾性力によっても遊戯者の運動エネルギを吸収するので、遊戯者が受ける衝撃が更に緩和される。
【００３７】
（実施例２）
次に、図６に基づいて実施例２の装置について説明する。同図に示すように、この装置は支持手段（１８）と、遊戯者支持手段（１５）と、受部（２１）とからなる。尚、受部（２１）については参考例及び実施例１における受部（９）と同じ構成を採用した。
【００３８】
前記支持手段（１８）は支持アーム（１９）と、吊下ロープ（２０）とからなる。支持アーム（１９）は、一端を図示するごとく相互に接続し、当該接続部を軸接続により構成し、これを矢示Ｃ−Ｄ方向に揺動自在に設けたものである。また、前記軸接続部にはバネ体（図示せず）を設けており、これにより前記支持アーム（１９）を矢示Ｃ方向に付勢している。そしてこの支持手段（１８）の他端に前記吊下ロープ（２０）を掛けている。この支持アーム（１９）には金属製若しくはプラスチック製等の棒状部材若しくはパイプ部材等を適用でき、目的を達成し得る強度を有し且つ軽量のものであることが好ましい。また、前記吊下ロープ（２０）は前記受部（２１）に接続されてこれを支持するもので、ゴムロープ，ワイヤロープ，ナイロンロープ等で構成できる。尚、支持アーム（１９）の接続部の上部には引上用の吊環を設けており、適宜巻き上げ装置により引上可能となっている。
【００３９】
前記遊戯者支持手段（１５）は、カプセル（１７）と、これを支持する支持機構（１６）とからなる。カプセル（１７）は卵形をしたもので内部に遊戯者を収納する構造を有している。このカプセル（１７）は図示するごとく、金属若しくはプラスチック等により網状に構成しても、或いは全体を透明なプラスチックで構成しても良い。支持機構（１６）は前記支持アーム（１９）の前記接続部の下部に設けたフック部と、前記カプセル（１７）の上端に設けた吊環とからなり、フック部と吊環とが係合し、前記カプセル（１７）を吊下，支持する。尚、このフック部若しくは吊環に、カプセル（１７）内の遊戯者の操作により若しくは遠隔操作により前記係合を解除する支持解除機構を設けている。
【００４０】
この装置によれば、まず、遊戯者がカプセル（１７）に搭乗し、当該カプセル（１７）が支持機構（１６）に支持された状態で、巻き上げ装置（図示せず）を駆動して、当該装置全体を上方に引き上げる。ついで、支持機構（１６）の支持解除機構を遊戯者の操作により若しくは遠隔操作により作動させて、カプセル（１７）を下方に落下せしめる。この後カプセル（１７）は受部（２１）に受け止められるが、その際、受部（２１）が変形して落下する遊戯者の運動エネルギを吸収するとともに、支持アーム（１９）がバネ体（図示せず）の付勢力に抗して矢示Ｄ方向に揺動し、バネ体（図示せず）の弾性力によっても遊戯者の運動エネルギを吸収するので、遊戯者が受ける衝撃が更に緩和される。
【００４１】
また、この装置によれば、受部（２１）の底部（２１ａ）の面積を十分広く設定でき、カプセル（１７）が底部（２１ａ）よりも外に落下するのを防止することができる。
【００４２】
（変形例１）
上述の実施例１及び２において支持手段（２）若しくは支持アーム（１９）及び受部（９）を上下方向に複数組多層に設けることもできる。以下、実施例２における場合について図７に基づいて説明する。同図に示すように、この装置は受部（２１）の下方に更に受部（２２）を設け、これを支持する支持アーム（１９ａ），吊下ロープ（２０ａ）を設けたものである。この装置によれば、仮に支持アーム（１９），吊下ロープ（２０）等が切断して、受部（２１）により遊戯者を受け止めることができない場合でも、その下方の受部（２２）によりこれを受け止めることができるので、遊戯者にとって安全である。尚、下方の受部ほどその面積が大きくなるように設定すれば、更に安全性が高まる。
【００４３】
（変形例２）
受部（９），（２１）は上述のようにシート状物若しくは網状体で構成することができ、実施例１及び２若しくは変形例１においてはネットを用いた例を示したが、この他、所定の容積と有する袋体で構成し、これに空気などの気体を充填して構成しても良い。これによれば、受部（９），（２１）において遊戯者を受け止めた際、気体が圧縮し、遊戯者の受ける衝撃が緩和される。また、網状体を用いて袋状に構成し、この中に小型の気球複数個を収納した構成としても同様の効果が得られる。
【００４４】
以上、本発明の具体的実施例について説明したが、実施例１及び２，変形例１及び２の装置はあくまでも一例として例示したものであって、本発明の具体的態様がこれに限られるものではないことは言うまでもない。
【図面の簡単な説明】
【図１】      参考例の装置を示す斜視図である。
【図２】      他の参考例の装置を示す斜視図である。
【図３】      更に他の参考例の装置を示す斜視図である。
【図４】      本発明の一実施例である実施例１の装置を示す斜視図である。
【図５】      実施例１の装置の作用を説明するための説明図である。
【図６】      実施例２の装置を示す斜視図である。
【図７】      変形例１の装置を示す斜視図である。
【符号の説明】
１  飛び降り部
２  支持手段
３  底部
４  外壁部
５  通孔
６  内壁部
７ａ  吊環
７ｂ  吊環
８  引上用ロープ
９  受部
１０  周壁
１１  骨材
１２  支持アーム
１３  吊下ロープ
１４  軸着部
１５  遊戯者支持手段
１６  支持機構
１７  カプセル
１８  支持手段
１９  支持アーム
２０  吊下ロープ
２１  受部
２２  受部
２３  巻き上げ装置
２４  ゴンドラ
【図１】
0003685506.tif 000002
【図２】
0003685506.tif 000003
【図３】
0003685506.tif 000004
【図４】
0003685506.tif 000005
【図５】
0003685506.tif 000006
【図６】
0003685506.tif 000007
【図７】
0003685506.tif 000008